(57)【要約】【課題】装置全体の待ち受け時間の向上を図ることが可能な携帯端末装置を提供する。【解決手段】待ち受け状態において、基地局からの情報あるいは電界強度が入力されると、無線回路５はそれらの情報を制御装置４に出力する。制御装置４はそれら基地局からの情報あるいは電界強度の情報を処理し、処理された内容を表示装置２の特定領域に表示する場合、処理結果を制御装置３に送出する。制御装置３は制御装置４の処理結果を表示装置２の特定領域に表示する。制御装置４は処理された内容を表示装置２の他の特定領域に表示する場合、処理結果を制御装置３に送出せず、表示装置２の他の特定領域に直接表示する。【選択図】      図１
2004349900.tif 000002
【特許請求の範囲】
【請求項１】
無線通信機能を含む携帯端末装置であって、
表示画面全体の制御を行う第１の制御装置と、前記表示画面の一部のみの制御を行う第２の制御装置とを有し、
前記無線通信機能の待ち受け状態時に前記第２の制御装置によって前記表示画面の一部のみの制御を行うことを特徴とする携帯端末装置。
【請求項２】
前記表示画面の一部のみによって回線状態の表示を行うことを特徴とする請求項１記載の携帯端末装置。
【請求項３】
前記第２の制御装置による前記回線状態の表示と、前記第１の制御装置によるその他の表示とを独立に行うことを特徴とする請求項２記載の携帯端末装置。
【請求項４】
前記第２の制御装置は、前記無線通信機能と前記第１の制御装置との間に配設されたことを特徴とする請求項１から請求項３のいずれか記載の携帯端末装置。
【請求項５】
無線通信機能を含む携帯端末装置の電源制御方法であって、前記無線通信機能の稼働時に表示画面全体の制御を行う第１の制御装置と前記表示画面の一部のみの制御を行う第２の制御装置とを稼働させ、前記無線通信機能の待ち受け状態時に前記第２の制御装置を稼働させて前記表示画面の一部のみの制御を行うことを特徴とする電源制御方法。
【請求項６】
前記表示画面の一部のみによって回線状態の表示を行うことを特徴とする請求項５記載の電源制御方法。
【請求項７】
前記第２の制御装置による前記回線状態の表示と、前記第１の制御装置によるその他の表示とを独立に行うことを特徴とする請求項６記載の電源制御方法。
【請求項８】
前記第２の制御装置を前記無線通信機能と前記第１の制御装置との間に配設したことを特徴とする請求項５から請求項７のいずれか記載の電源制御方法。
【発明の詳細な説明】
【０００１】
【発明の属する技術分野】
本発明は携帯端末装置及びそれに用いる電源制御方法に関し、特に携帯電話装置における待ち受け時の電源制御方法に関する。
【０００２】
【従来の技術】
現在、携帯電話装置あるいはそれに準ずる携帯端末装置においては、それぞれ電話機能やスケジュール管理機能のほかに、装置自体の高機能化が進んでいる。
【０００３】
これら携帯電話装置やそれに準ずる携帯端末装置では、制御装置を複数配することで、基本的な音声送受信機能と入力・表示・音楽演奏機能とを分離し、後者のアプリケーション動作時の制御装置の負荷を減らす試みがなされている。
【０００４】
例えば、その一例としては、相手先との通話を行うための音声送受信機能を制御するための制御装置と、ＬＣＤ（Ｌｉｑｕｉｄ  Ｃｒｙｓｔａｌ  Ｄｉｓｐｌａｙ）への表示を制御するための制御装置とを備えた例がある（例えば、特許文献１参照）。
【０００５】
【特許文献１】
特開２０００−２３２５５号公報（第３〜５頁、図１）
【０００６】
【発明が解決しようとする課題】
しかし、上述した従来の携帯端末装置では、複数の制御装置を持つ場合、表示装置を単一の制御装置のみで制御する際に、無線回路の状態や基地局との通信の状態等、表示装置を制御する制御装置と異なる制御装置に依存する情報を更新する時に制御装置間で必ず通信が発生する。
【０００７】
このことは、各制御装置の独立性を妨げる要因となり、特に待ち受け状態において能動的に使用されない表示装置・入力装置の制御を司る制御装置の電源を切っている方が待ち受け時間の観点で、より有利である。
【０００８】
そこで、本発明の目的は上記の問題点を解消し、装置全体の待ち受け時間の向上を図ることができる携帯端末装置及びそれに用いる電源制御方法を提供することにある。
【０００９】
【課題を解決するための手段】
本発明による携帯端末装置は、無線通信機能を含む携帯端末装置であって、
表示画面全体の制御を行う第１の制御装置と、前記表示画面の一部のみの制御を行う第２の制御装置とを備え、
前記無線通信機能の待ち受け状態時に前記第２の制御装置によって前記表示画面の一部のみの制御を行っている。
【０００１０】
本発明による電源制御方法は、無線通信機能を含む携帯端末装置の電源制御方法であって、  前記無線通信機能の稼働時に表示画面全体の制御を行う第１の制御装置と前記表示画面の一部のみの制御を行う第２の制御装置とを稼働させ、前記無線通信機能の待ち受け状態時に前記第２の制御装置を稼働させて前記表示画面の一部のみの制御を行っている。
【０００１１】
すなわち、本発明の携帯端末装置は、複数の制御装置を持つ装置において、回線状態の表示と、その他の表示とを独立に制御することによって、各制御装置の動作時間を最低限にすることが可能になる。
【０００１２】
これによって、本発明では、上記のように構成される携帯端末装置において、各制御装置間の通信処理を最小化することが可能となるので、待ち受け時間の向上、ひいては使用範囲拡大につながる。
【０００１３】
【発明の実施の形態】
次に、本発明の実施例について図面を参照して説明する。図１は本発明の一実施例による携帯端末装置の構成を示すブロック図である。図１において、本発明の一実施例による携帯端末装置（例えば、携帯電話装置）は入力装置１と、表示装置２と、制御装置３，４と、無線回路５と、音声回路６とから構成されており、入力された信号を送信あるいは受信した信号を表示・出力する役割を持っている。
【０００１４】
入力装置１は音声以外の何らかの入力方法で制御装置３に情報を与える入力手段である。表示装置２は入力装置１からの入力情報や、受信した情報を表示する表示手段である。
【０００１５】
制御装置３は入力装置１及び表示装置２をそれぞれ制御し、制御装置４は表示装置２と、無線回路５及び音声回路６とをそれぞれ制御する無線回路５は制御装置４によって制御され、基地局（図示せず）との間で情報の送受信を行う。音声回路６は制御装置４によって制御され、音声信号を入出力する。
【０００１６】
図２は本発明の一実施例による携帯端末装置の動作を示すフローチャートである。これら図１及び図２を参照して本発明の一実施例による携帯端末の動作について説明する。尚、携帯端末においては、待ち受け状態にあるものと仮定する。また、表示装置２は少なくとも回線状態の表示を行う表示領域Ａ（図示せず）と、その他の表示を行う表示領域Ｂ（図示せず）とを備えているものとする。
【０００１７】
待ち受け状態において（図２ステップＳ１）、基地局からの情報あるいは電界強度が入力されると（図２ステップＳ２）、無線回路５はそれらの情報を制御装置４に出力する。
【０００１８】
制御装置４はそれら基地局からの情報あるいは電界強度の情報を処理し（図２ステップＳ３）、処理された内容を表示装置２の特定領域（表示領域Ｂ）に表示する場合（図２ステップＳ４）、処理結果を制御装置３に送出する（図２ステップＳ５）。制御装置３は制御装置４の処理結果を表示装置２の表示領域Ｂに表示する。
【０００１９】
これに対し、制御装置４は処理された内容を表示装置２の特定領域（表示領域Ａ）に表示する場合（図２ステップＳ４）、処理結果を制御装置３に送出せず、表示装置２の表示領域Ａに直接表示する（図２ステップＳ６）。この場合、従来の技術では制御装置３が制御装置４から情報を受取った上で、表示装置２を制御している。
【０００２０】
これに対し、本実施例では、上記のように、制御装置３のみならず、制御装置４も表示装置２の一部あるいは全部の制御が可能なような構成となっており、上記の待ち受け状態においては制御装置３を起動せずとも、制御装置４によって表示装置２の内容更新が可能となっている。
【０００２１】
電界強度や基地局からの情報のみの更新で、消費電力の観点で、制御装置４が上記のステップ４の処理において、制御装置３に情報を渡して更新すべきでないと判断した場合、制御装置４は直接、表示装置２の内容を更新する。
【０００２２】
図３は図１の表示装置２の画面構成例を示す図である。図３において、表示装置２においては、画面上部の表示領域Ａ２１の電界強度や情報表示部分が制御装置４による制御可能な部分である。この表示領域Ａ２１の部分は制御装置３が制御する画面下部の表示領域Ｂ２２の状態に依存することなく、独立してその表示内容の更新が可能となっている。つまり、表示領域Ａ２１には少なくとも回線状態の表示が行われ、表示領域Ｂ２２にはその他の表示が行われる。
【０００２３】
このように、本実施例では、電界の変化やあるいは基地局からの情報といった無線回路５からの情報を制御装置３を介さずに、制御装置４から表示装置２に直接出力することが可能となるため、制御装置３の動作時間の短縮、ひいては装置全体の待ち受け時間の向上が可能となる。
【０００２４】
また、本実施例では、制御装置３と制御装置４との間の相互の通信量を減らすことができるため、制御装置３及び制御装置４の互いの動作の独立性が保たれ、制御装置３，４における負荷の低減に寄与する。
【０００２５】
尚、本発明においては、入力装置１として携帯電話装置に一般的に備えられているテンキーやスイッチを仮定しているが、制御装置３に何らかの情報を与えるものであれば、その実装形態は問わない。
【０００２６】
また、本発明においては、表示装置２として、図３に示すのような液晶ディスプレイを仮定しているが、特にその物理的形状や材質は問わない。さらに、本発明においては、音声回路６としてマイクやスピーカといった一般的な音声入出力回路を仮定しているが、その実装形態は問わない。さらにまた、本発明ではその構成上、この回路が存在しなくても、特許構成上は問題はない。
【０００２７】
本発明では、基地局からの情報として、例えば電界情報やＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）方式携帯電話におけるＳＭＳ−ＣＢ（Ｓｈｏｒｔ  Ｍｅｓｓａｇｅ  Ｓｅｒｖｉｃｅ−ＣＢ）サービスのようなブロードキャストサービスを仮定しているが、基地局より何らかの情報を受取って表示する機能であれば、その実装形態は問わない。
【０００２８】
【発明の効果】
以上説明したように本発明は、上記のような構成及び動作とすることで、装置全体の待ち受け時間の向上を図ることができるという効果が得られる。
【図面の簡単な説明】
【図１】本発明の一実施例による携帯端末装置の構成を示すブロック図である。
【図２】本発明の一実施例による携帯端末装置の動作を示すフローチャートである。
【図３】図１の表示装置の画面構成例を示す図である。
【符号の説明】
１  入力装置
２  表示装置
３，４  制御装置
５  無線回路
６  音声回路
２１  表示領域Ａ
２２  表示領域Ｂ
【図１】
2004349900.tif 000003
【図２】
2004349900.tif 000004
【図３】
2004349900.tif 000005